【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
原料からディーゼルおよび／またはナフサ生成物流を製造する統合水素化分解方法であって、
ａ．炭化水素供給物を芳香族化合物リーン画分および芳香族化合物リッチ画分へ分離する工程；
ｂ．芳香族化合物リッチ画分を、芳香族化合物リッチ画分に含まれる芳香族化合物の少なくとも一部を水素処理および水素化分解するのに効率的な条件で操作する第１段階水素化処理反応域の第１容器中で水素化処理して第１容器第１段階水素化処理反応域流出物を製造する工程；
ｃ．芳香族化合物リーン画分を、芳香族化合物リーン画分に含まれるパラフィンおよびナフテン化合物の少なくとも一部を水素処理および水素分解するのに効率的な条件で操作する第１段階水素化処理反応域の第２容器中で水素化処理して第２容器第１段階水素化処理反応域流出物を製造する工程；
ｄ．第１容器第１段階水素化処理反応域流出物および第２容器第１段階水素化処理反応域流出物の混合物を、第２段階水素化処理反応域において水素化処理して第２段階水素化処理反応域流出物を製造する工程；および
ｅ．第２段階水素化処理反応域流出物を分留して１以上のディーゼルおよび／またはナフサ生成物流および１以上の底部流を製造する工程
を含む、方法。
【請求項２】
第１容器第１段階水素化処理反応域を、芳香族化合物リッチ画分中に含まれる芳香族化合物の少なくとも一部からヘテロ原子を除去しおよび水素化分解するのに有効な比較的過酷な条件下で操作する、請求項１に記載の方法。
【請求項３】
第２容器第１段階水素化処理反応域を、芳香族化合物リーン画分中に含まれるパラフィンおよびナフテン化合物の少なくとも一部からヘテロ原子を除去しおよび水素化分解するのに有効な比較的穏やかな条件下で操作する、請求項１に記載の方法。
【請求項４】
第２段階水素化処理反応域を、第１容器第１段階水素化処理反応域流出物および第２容器第１段階水素化処理反応域流出物の混合物中に含まれるパラフィンおよびナフテン化合物の少なくとも一部からヘテロ原子を除去しおよび水素化分解するのに有効な比較的穏やかな条件下で操作する、請求項１に記載の方法。
【請求項５】
芳香族化合物リッチ画分は、ピロール、キノリン、アクリジン、カルバゾールおよびそれらの誘導体を包含する芳香族窒素化合物を包含する、請求項１に記載の方法。
【請求項６】
芳香族化合物リッチ画分は、チオフェン、ベンゾチオフェンおよびそれらの誘導体およびジベンゾチオフェンおよびその誘導体を包含する芳香族硫黄化合物を包含する、請求項１に記載の方法。
【請求項７】
未変換炭化水素および／または部分的分解炭化水素を含む分留域からの１以上の底部流の一部または全部を芳香族化合物分離域および／または第１水素化処理反応域および／または第２水素化処理反応域へ再生する、請求項１に記載の方法。
【請求項８】
炭化水素供給物を芳香族化合物リーン画分および芳香族化合物リッチ画分へ分離する工程は、
炭化水素供給物および有効な量の抽出用溶媒を抽出域へ曝して
炭化水素供給物の芳香族含有量の多い割合および抽出用溶媒の一部を含有する抽出物、および  
炭化水素供給物の非芳香族含有量の多い割合および抽出用溶媒の一部を含有するラフィネート
を製造する工程；
ラフィネートから抽出用溶媒の少なくとも実質的割合を分離し、芳香族化合物リーン画分を保持する工程；および
抽出物から抽出用溶媒の少なくとも実質的部分を分離し、芳香族化合物リッチ画分を保持する工程
を含む、請求項１に記載の方法。
【請求項９】
炭化水素供給物を芳香族化合物リーン画分および芳香族化合物リッチ画分へ分離する工程を混合器−沈殿器装置において行う、請求項１または８に記載の方法。
【請求項１０】
炭化水素供給物を芳香族化合物リーン画分および芳香族化合物リッチ画分へ分離する工程を遠心分離接触装置において行う、請求項１または８に記載の方法。
【請求項１１】
炭化水素供給物を芳香族化合物リーン画分および芳香族化合物リッチ画分へ分離する工程を接触カラムにおいて行う、請求項１または８に記載の方法。
【請求項１２】
接触カラムはトレイカラムである、請求項１１に記載の方法。
【請求項１３】
接触カラムは充填床カラムである、請求項１１に記載の方法。
【請求項１４】
接触カラムは回転円板接触装置である、請求項１１に記載の方法。
【請求項１５】
接触カラムはパルスカラムである、請求項１１に記載の方法。
【請求項１６】
炭化水素供給物から芳香族化合物を抽出するのに操作可能であり、炭化水素供給物を受け入れるための入口、芳香族化合物リッチ出口および芳香族化合物リーン出口を含む芳香族化合物分離区域；
芳香族化合物リッチ出口と流体連結した入口および第１容器第１段階水素化処理反応域流体物を取り出すための出口を有する第１段階水素化処理反応域の第１容器；
芳香族化合物リーン出口と流体連結した入口および第２容器第１段階水素化処理反応域流体物を取り出すための出口を有する第１段階水素化処理反応域の第２容器；  
第１容器第１段階水素化処理反応域流出物および第２容器第１段階水素化処理反応域流出物といずれも流体連結した入口および第２段階水素化処理反応域流体物を取り出すための出口を有する第２段階水素化処理反応域；および
第２段階水素化処理反応域流出物と流体連結した入口、１以上の生成物を取り出すための出口および１以上の底部を取り出すための出口を有する分留域
を含んでなる、重質炭化水素原料を処理してクリーン輸送燃料を製造するための統合装置。
【手続補正２】
【補正対象書類名】明細書
【補正対象項目名】００７３
【補正方法】変更
【補正の内容】
【００７３】
本発明の方法および系は、上でおよび添付の図面に記載されたが、改良は当業者に明らかであり、本発明のための保護の範囲は、続くクレームによって定義される。
本発明の好ましい態様は、以下を包含する。
［１］原料から分解炭化水素を製造する統合水素化分解方法であって、
ａ．炭化水素供給物を、芳香族化合物リーン画分および芳香族化合物リッチ画分へ分離する工程；
ｂ．芳香族化合物リッチ画分を第１段階水素化処理反応域の第１容器中で水素化処理して第１容器第１段階水素化処理反応域流出物を製造する工程；
ｃ．芳香族化合物リーン画分を第１段階水素化処理反応域の第２容器中で水素化処理して第２容器第１段階水素化処理反応域流出物を製造する工程；
ｄ．第１容器第１段階水素化処理反応域流出物および第２容器第１段階水素化処理反応域流出物の混合物を、第２段階水素化処理反応域において水素化処理して第２段階水素化処理反応域流出物を製造する工程；および
ｅ．第２段階水素化処理反応域流出物を分留して１以上の生成物流および１以上の底部流を製造する工程
を含む、方法。
［２］第１容器第１段階水素化処理反応域を、芳香族化合物リッチ画分中に含まれる芳香族化合物の少なくとも一部からヘテロ原子を除去しおよび水素化分解するのに有効な比較的過酷な条件下で操作する、［１］に記載の方法。
［３］第２容器第１段階水素化処理反応域を、芳香族化合物リーン画分中に含まれるパラフィンおよびナフテン化合物の少なくとも一部からヘテロ原子を除去しおよび水素化分解するのに有効な比較的穏やかな条件下で操作する、［１］に記載の方法。
［４］第２段階水素化処理反応域を、第１容器第１段階水素化処理反応域流出物および第２容器第１段階水素化処理反応域流出物の混合物中に含まれるパラフィンおよびナフテン化合物の少なくとも一部からヘテロ原子を除去しおよび水素化分解するのに有効な比較的穏やかな条件下で操作する、［１］に記載の方法。
［５］芳香族化合物リッチ画分は、ピロール、キノリン、アクリジン、カルバゾールおよびそれらの誘導体を包含する芳香族窒素化合物を包含する、［１］に記載の方法。
［６］芳香族化合物リッチ画分は、チオフェン、ベンゾチオフェンおよびそれらの誘導体およびジベンゾチオフェンおよびその誘導体を包含する芳香族硫黄化合物を包含する、［１］に記載の方法。
［７］炭化水素供給物を芳香族化合物リーン画分および芳香族化合物リッチ画分へ分離する工程は、
炭化水素供給物および有効な量の抽出用溶媒を抽出域へ曝して
炭化水素供給物の芳香族含有量の多い割合および抽出用溶媒の一部を含有する抽出物、および
炭化水素供給物の非芳香族含有量の多い割合および抽出用溶媒の一部を含有するラフィネート
を製造する工程；
ラフィネートから抽出用溶媒の少なくとも実質的割合を分離し、芳香族化合物リーン画分を保持する工程；および
抽出物から抽出用溶媒の少なくとも実質的部分を分離し、芳香族化合物リッチ画分を保持する工程
を含む、［１］に記載の方法。
［８］炭化水素供給物から芳香族化合物を抽出するのに操作可能であり、炭化水素供給物を受け入れるための入口、芳香族化合物リッチ出口および芳香族化合物リーン出口を含む芳香族化合物分離区域；
芳香族化合物リッチ出口と流体連結した入口および第１容器第１段階水素化処理反応域流体物を取り出すための出口を有する第１段階水素化処理反応域の第１容器；
芳香族化合物リーン出口と流体連結した入口および第２容器第１段階水素化処理反応域流体物を取り出すための出口を有する第１段階水素化処理反応域の第２容器；  
第１容器第１段階水素化処理反応域流出物および第２容器第１段階水素化処理反応域流出物といずれも流体連結した入口および第２段階水素化処理反応域流体物を取り出すための出口を有する第２段階水素化処理反応域；および
第２段階水素化処理反応域流出物と流体連結した入口、１以上の生成物を取り出すための出口および１以上の底部を取り出すための出口を有する分留域
を含んでなる、重質炭化水素原料を処理してクリーン輸送燃料を製造するための統合装置。